【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
不正開封防止バンド（４０）を備え、液体、特にジュース、フルーツピューレ、ヨーグルトおよびソフトドリンクなどの子供用飲料を収容するための容器（１）に使用するように構成されたクロージャ（８）であって、前記クロージャは、環状の主当接部（２４）を含む管状体（１０）を備えた飲み口（６）に適用可能であり、前記クロージャは、
前記クロージャを捩じ緩む方向への軸方向の並進運動を制限するように、前記主当接部（２４）と直接または間接に係合可能な固定バンド（４２、１４２）と、
前記飲み口（６）の前記管状体（１０）に螺合可能なケーシング（６２、１６２）を備えた可動体（５０）とを含み、前記固定バンド（４２、１４２）は、前記不正開封防止バンドが破れていない状態で、前記固定バンド（４２、１４２）の固定縁部（４９、１４９）と前記可動体（５０）の可動縁部（５１、１５１）とを接合するための脆弱部（５２、１５２）を介して、前記可動体（５０）に接合され、
一端に環状の不正開封防止縁部（７１、１７１）を有し、前記不正開封防止バンドが破れていない状態で、外部から見えないように前記クロージャ（８）の内部区画に収容される不正開封防止リング（７０、１７０）を含み、
前記脆弱部（５２、１５２）は、前記飲み口（６）から前記クロージャ（８）を捩じ緩むことによって破れるように構成され、前記不正開封防止リング（７０、１７０）は、前記内部区画から抜け出し、前記シールを破り、前記固定バンド（４２、１４２）の前記固定縁部（４９、１４９）と前記可動体（５０）の前記可動縁部（５１、１５１）とを離間させる、クロージャ。
【請求項２】
前記クロージャは、前記飲み口（６）に嵌入可能である、請求項１に記載のクロージャ。
【請求項３】
前記固定バンド（４２）は、自由端（４４）を有し、
前記自由端（４４）は、前記主当接部（２４）に対して逃げ溝として形成された主凹部（２８）に少なくとも部分的に嵌入するように、他の部分に対して径方向内側に湾曲または隆起する、請求項２に記載のクロージャ。
【請求項４】
前記不正開封防止リング（７０）は、前記可動体（５０）と一体化され、前記シールが破れていない状態で、前記固定バンド（４２）によって規定された区画に収容され、前記クロージャ（８）を捩じ緩むことによって、前記区画から抜け出す、請求項１〜３のいずれか１項に記載のクロージャ。
【請求項５】
前記不正開封防止リング（１７０）は、前記飲み口（６）の前記主当接部（２４）に係留することによって、前記クロージャ（８）を捩じ緩むことによる並進運動を防止する、請求項１または２に記載のクロージャ。
【請求項６】
前記可動体（５０）は、前記シールが破れていない状態で、前記脆弱部（１５２）を介して前記固定バンド（１４２）に接合された可動バンド（２００）を備え、
前記不正開封防止リング（１７０）は、前記可動バンド（２００）によって規定された区画に収容され、前記クロージャ（８）を捩じ緩むことによって、前記区画から抜け出す、請求項５に記載のクロージャ。
【請求項７】
前記固定バンド（１４２）は、前記不正開封防止リング（１７０）を含む不正開封防止ブッシング（１００）によって、軸方向の並進運動するように制限され、
前記不正開封防止ブッシング（１００）は、前記飲み口（６）の前記主当接部（２４）に嵌入係合可能である、請求項５または６に記載のクロージャ。
【請求項８】
組立体であって、
薄壁を有する容器本体（２）に適用可能な飲み口（６）を含み、
前記飲み口（６）は、
ｉ）挿入端（１２）と分注端（１４）との間で主軸線（Ｘ）に沿って直線的に延在する管状体（１０）と、
ｉｉ）前記管状体（１０）の前記挿入端（１２）に対応しており、前記容器本体（２）との密封接続を形成するための接続部（１６）と、
ｉｉｉ）前記管状体（１０）から径方向外側に突出する環状の主当接部（２４）とを含み、
前記組立体は、
不正開封防止バンド（４０）を備え、前記飲み口（６）に適用されるクロージャ（８）を含み、
前記クロージャ（８）は、
ｉ）前記飲み口（６）の前記主当接部（２４）に嵌入係合される環状の固定バンド（４２）と、
ｉｉ）前記飲み口（６）の前記管状体（１０）に螺合可能な可動体（５０）とを含み、前記固定バンド（４２、１４２）は、前記不正開封防止バンドが破れていない状態で、前記固定バンド（４２、１４２）の固定縁部（４９、１４９）と前記可動体（５０）の可動縁部（５１、１５１）とを接合するための脆弱部（５２、１５２）を介して、前記可動体（５０）に接合され、
ｉｉｉ）前記可動体（５０）と一体化され、一端に環状の不正開封防止縁部（７１）を有し、前記不正開封防止バンドが破れていない状態で、外部から見えないように前記固定バンド（４２）によって規定された内部区画に収容された不正開封防止リング（７０）を含み、
前記脆弱部（５２）は、前記飲み口（６）から前記クロージャ（８）を捩じ緩むことによって破れるように構成され、前記不正開封防止リング（７０）は、前記内部区画から抜け出し、前記シールを破ることによって、前記固定バンド（４２）の前記固定縁部（４９）と前記可動体（５０）の前記可動縁部（５１）とを離間させる、組立体。
【請求項９】
不正開封防止バンド（４０）を備え、液体、特にジュース、フルーツピューレ、ヨーグルトおよびソフトドリンクなどの子供用飲料を収容するための容器（１）に使用するように構成されたクロージャ（８）であって、前記クロージャは、環状の主当接部（２４）を含む管状体（１０）を備えた飲み口（６）に適用可能であり、前記クロージャは、
前記クロージャを捩じ緩む方向への軸方向の並進運動を制限するように、前記主当接部（２４）と間接に係合可能な固定バンド（１４２）と、
可動体（５０）とを含み、
前記可動体（５０）は、
ｉ）前記飲み口（６）の前記管状体（１０）に螺合可能なケーシング（１６２）と、
ｉｉ）前記シールが破れていない状態で、脆弱部（１５２）を介して前記固定バンド（１４２）に接合された可動バンド（２００）とを備え、
前記クロージャは、
一端に環状の不正開封防止縁部（７１、１７１）を有し、捩じ緩むことによる並進運動を制限するように前記飲み口（６）の前記主当接部（２４）に係留可能であり、前記シールが破れていない状態で、前記可動バンド（２００）によって規定された区画に収容される不正開封防止リング（１７０）を含み、
前記脆弱部（１５２）は、前記飲み口（６）から前記クロージャ（８）を捩じ緩むことによって破れるように構成され、前記不正開封防止リング（１７０）は、前記内部区画から抜け出し、前記シールを破ることによって、前記固定バンド（１４２）の前記固定縁部（１４９）と前記可動体（５０）の前記可動縁部（１５１）とを離間させる、クロージャ。
【請求項１０】
前記固定バンド（１４２）は、前記不正開封防止リング（１７０）を含む不正開封防止ブッシング（１００）によって、軸方向の並進運動するように制限され、
前記不正開封防止ブッシング（１００）は、前記飲み口（６）の前記主当接部（２４）に嵌入係合可能である、請求項９に記載のクロージャ。
【請求項１１】
組立体であって、
薄壁を有する容器本体（２）に適用可能な飲み口（６）を含み、
前記飲み口（６）は、
ｉ）挿入端（１２）と分注端（１４）との間で主軸線（Ｘ）に沿って直線的に延在する管状体（１０）と、
ｉｉ）前記管状体（１０）の前記挿入端（１２）に対応しており、前記容器本体（２）との密封接続を形成するための接続部（１６）と、
ｉｉｉ）前記管状体（１０）から径方向外側に突出する環状の主当接部（２４）とを含み、
前記組立体は、
不正開封防止バンド（４０）を備え、前記飲み口（６）に適用され、請求項９または１０に従って実現されるクロージャ（８）を含む、組立体。
【手続補正２】
【補正対象書類名】明細書
【補正対象項目名】００７３
【補正方法】変更
【補正の内容】
【００７３】
可動体５０、可動バンド２００および固定バンド１４２からなるグループと不正開封防止ブッシング１７０とが作製されると、ブッシング１００を可動バンド２００および固定バンド１４２に挿入することによって、完全品としてのクロージャ８を形成する。
【手続補正３】
【補正対象書類名】明細書
【補正対象項目名】００７８
【補正方法】変更
【補正の内容】
【００７８】
固定バンド４２は、初期状態では脆弱部１４２を介して可動体５０と一体化されているため、同様の方向に並進運動するように付勢される。この並進運動は、ブッシング１００を介して主当接部２４に係留することによって止められる。